(57)【要約】      （修正有）【課題】交通事故を防止し、使用者の安全を確保する光ガイド槽を有する靴底を提供する。【解決手段】発光装置２０を設置するための光ガイド槽１２を有する靴底１１であって、透光性を有し、且つ高い反射率を有し、光を吸収しない靴底１１であり、光をガイドすることができ、当該靴底１１に光ガイド槽１２が設けられ、当該光ガイド槽１２は光をガイドするための入射面１３を有し、当該入射面１３は透光性を有する導光体であり、当該靴底１１の外側にある面は光を集中して射出するための射出面１４であり、当該発光装置２０は発光する場合に、光線が当該入射面１３から当該靴底１１に入射し、当該靴底１１で当該射出面１４にガイドされ、当該射出面１４から外向きに射出するようになる。当該靴底１１は発光することで、照明効果があるので、早朝或いは夜間に活動する場合の安全が確保でき、且つ当該発光装置２０がいつでも異なる靴に設置されることができ、多くの状況に応用できる。【選択図】図1
0003212893.tif 000002
【実用新案登録請求の範囲】
【請求項１】
靴本体と、透光性を有し、且つ高い反射率を有する靴底とを有し、
当該靴底に発光装置を設置するための光ガイド槽が設けられ、
当該光ガイド槽の四面にある面は透光性を有する導光体である入射面であり、光線が当該入射面から当該靴底内に入射するようになり、
当該靴底の外側にある面は光を集中するための射出面であり、光線が当該入射面から入射し、当該靴底で当該射出面にガイドされるようになり、
当該靴底、当該光ガイド槽、当該入射面及び当該射出面は透光性を有する導光体であり、且つ光線がそれらの間に伝導される機能を有し、
当該発光装置は独立的で防水性を持つポータブルな部品であり、当該発光装置が容易に当該発光装置を設置したり取り出したりするようになり、
光源が発光する場合に、光線が当該入射面から当該靴底に入射し、当該靴底の外側にある当該射出面に伝導され、外向きに射出されるようになることを特徴とする光ガイド槽を有する靴底。
【請求項２】
透光性を有する前記靴底の透過率は78％〜85％であり、且つ当該靴底の材質はPU、TPR、TPUのいずれか一つであることを特徴とする請求項1に記載の光ガイド槽を有する靴底。
【請求項３】
前記発光装置は、
数個のLEDと連結するプリント基板と、
当該LEDの作動モードを制御するために当該プリント基板に設けられる制御ユニットと、
当該制御ユニットを制御するために当該プリント基板に設けられる開閉器と、
電力の供給及び蓄積のために当該プリント基板の下に設けられる二次電池と、
当該二次電池の充電のために当該プリント基板の下に設けられるワイヤレス充電モジュールと、
上述した部品を覆うように使われ、且つ互いに配合される硬式プラスチックケースである上モールドキャップ及び下モールドキャップとを有することを特徴とする請求項1に記載の光ガイド槽を有する靴底。
【請求項４】
前記制御ユニットはさらにワイヤレス制御ユニットを有することにより、スマート商品のライト制御用アプリで前記LEDの作動モードを制御するようになることを特徴とする請求項3に記載の光ガイド槽を有する靴底。
【請求項５】
前記靴底の底面は透明或いは半透明の滑り止め部であることを特徴とする請求項1に記載の光ガイド槽を有する靴底。
【請求項６】
前記靴本体はサンダルであり、且つ前記靴底が透明或いは半透明のカバーで覆われ、当該靴底及び当該カバーの上面にさらに透明或いは半透明のストラップが設けられることを特徴とする請求項5に記載の光ガイド槽を有する靴底。
【請求項７】
前記靴底にストラップ固定槽が設けられ、前記カバーに当該ストラップ固定槽に相対するカバー用孔が設けられ、前記滑り止め部に当該ストラップ固定槽に相対する底部槽が設けられ、前記ストラップに当該ストラップ固定槽に相対する固定部が設けられ、当該固定部を当該カバー用孔、当該ストラップ固定槽及び当該底部槽に入れることで、当該ストラップが固定されるようになることを特徴とする請求項6に記載の光ガイド槽を有する靴底。
【請求項８】
前記靴本体は靴であり、前記靴底が該靴の下に粘合され、且つ当該靴底の上に中敷が覆われることを特徴とする請求項5に記載の光ガイド槽を有する靴底。
【考案の詳細な説明】
【技術分野】
【０００１】
本考案は光ガイド槽を有する靴底を関し、該靴底には発光装置を設置するための凹みを有し、該光ガイド槽は光線が靴下に入射するための入射面を有し、該靴底は透光性及び高い反射率を有し、且つ光を吸収しない靴底であり、該靴底の外側面は光線を集中して射出する射出面である。
【背景技術】
【０００２】
明るい環境で照明が充分であるので、歩く或いはジョギングする場合に事故があまり発生しなく、逆に、暗い環境に、特に早朝或いは夜間に、事故が容易に発生するようになるので、こういう問題を解決するため、様々な発光効果のある製品、例えば発光靴、発光サンダル、発光腕輪などの製品が他の人に注意を促したり、使用者の可視性を高めたりするために開発される。
【考案の概要】
【考案が解決しようとする課題】
【０００３】
台湾実用新案第M407645号及び第M396633号に示す発光靴について、夜に該発光靴に取り付けた発光装置を使用することによって使用者自身の安全性が高まり、しかし、該発光ユニットが固定の位置に設置されるので、取り外されないようになり、従って、靴本体或いは発光装置が壊れた場合に、ほとんど使われない使い捨て商品になる。本考案の発光装置及び靴本体が別々に独立した部品であることで、メーカーは各種類の靴或いはサンダルを生産し、使用者は需要によって発光装置を取り付け、靴本体が発光装置と自由に配合されるようになり、使い捨て商品にならない。
【０００４】
また、台湾実用新案第M407645号及び第M396633号に示す発光靴について、技術の進歩により、その発光効果及び機能は使用者の需要を満足できないようになり、例えば、発光装置がワイヤレス操作で制御できないこと及び発光効果が単純であることで、多元的に応用されることができない。従って、本考案に示すのは発光装置を設置するための光ガイド槽を有する靴底であり、該光ガイド槽によって該発光装置が容易に取り付けたり取り外したりするようになり、且つスマート商品、例えばスマートフォン、スマートウォッチ、スマートブレスレットなどの端末でワイヤレス操作で該発光装置を制御することができ、また、ワイヤレスで充電することもできる。
【０００５】
そこで、上記の欠点に対して改善でき、光ガイド槽を有する靴底を提供することで、他の人に主動的に注意を促し、交通事故を防止し、使用者の安全を確保することが本考案の課題となる。
【課題を解決するための手段】
【０００６】
本考案の目的は靴底を提供することであり、該靴底は透光性を有する導光体であり、且つ発光装置を容易に取り付けたり取り外したりするための光ガイド槽を有し、該光ガイド槽内にある発光装置が発光する場合に、光線が靴底の外側面にある射出面に伝導され、射出面で外に射出するようになり、また、該靴底及び該発光装置は別々に独立した部品であるので、光ガイド槽を有する靴底が各種類の靴本体に取り付けるようになり、つまり一つの発光装置が数種類の靴本体と配合することができる。
【０００７】
前記問題点を解決でき、上記目的を達成するために、本考案は発光装置を取り付けることで各種類の靴本体に応用される光ガイド槽を有する靴底を提供することである。当該靴本体の形はサンダル、靴のいずれか一つである。
【０００８】
前記靴本体の形はサンダルである場合に、当該靴本体は透光性を有する前記靴底と、当該靴底を覆う透明或いは半透明のカバーと、当該靴底の下に設けられる透明或いは半透明の滑り止め部と、当該靴底、当該カバー及び当該滑り止め部と配合して設けられる透明或いは半透明のストラップとを有する。当該カバーによって、使用者は肉眼で当該靴底を見えるようになり、当該発光装置が保護されるようになり、且つ使用者は各色及び各種類の様式の当該カバーを選択するようになり、当該滑り止め部によって当該靴底を見えるようになり、且つ当該靴底を保護し、滑り止めの効果も達成するようになる。
【０００９】
前記靴底に前記発光装置を容易に取り付けたり取り外したりするための光ガイド槽が設けられ、当該光ガイド槽の四面にある面は光を当該靴底にガイドするための入射面であり、当該発光装置は防水性を持つポータブルな部品であり、光線の屈折及び伝導で、当該発光装置が発光し、光線が当該入射面から当該靴底に入射し、当該靴底で伝導され、当該靴底の外側にある当該射出面に伝導され、外向きに射出するようになる。
【００１０】
光線が前記靴底に伝導されると共に透明或いは半透明の前記ストラップに伝導されるので、当該ストラップが発光ストラップになる。光線が当該靴底に伝導されると共に透明或いは半透明の前記滑り止め部に伝導されるので、当該滑り止め部がサンダルの発光靴底になる。前記靴本体は靴である場合に、透光性を有する前記靴底が前記滑り止め部と靴の下に粘合され、当該靴底の上に中敷が覆われることで、前記発光装置を当該靴底の前記光ガイド槽内に容易に取り付けたり取り外したりするようになる発光靴が完成される。
【考案の効果】
【００１１】
本考案の靴底は発光することで、照明効果があるので、早朝或いは夜間に活動する場合の安全が確保でき、且つ当該発光装置がいつでも異なる靴に設置されることができ、多くの状況に応用できる。
【図面の簡単な説明】
【００１２】
【図１】：本考案の靴底を示す斜視図
【図２】：本考案の靴底の発光装置が発光する場合の光線の伝導状態を示す図
【図３】：本考案の靴底がサンダルの形で実施される状態を示す斜視分解図
【図４】：本考案の靴底がサンダルの形で実施される状態の一部を示す断面図
【図５】：使用者は履いている状態を示す図
【図６】：本考案の靴底の発光装置が発光する状態を示す斜視図
【図７】：本考案の靴底が靴の形で実施される状態を示す斜視分解図
【図８】：本考案の発光装置を示す斜視図
【考案を実施するための形態】
【００１３】
以下、本考案の実施の形態について、図面を参照して詳細に説明する。
【００１４】
図1に示すように、本考案の光ガイド槽を有する靴底は透光性を有する靴底11であり、当該靴底11に光ガイド槽12が設けられ、当該光ガイド槽12の四面にある面は透光性を有する導光体である入射面13であり、当該靴底11の外側にある面は光を集中するための射出面14であり、当該靴底11の底面に透明或いは半透明の滑り止め部15が設けられ、当該靴底11にある当該光ガイド槽12は当該発光装置20を容易に設置したり取り出したりする収納スペースである。
【００１５】
前記靴底11の材質はPU、TPR、TPUのいずれか一つの透光性を有する材質であるので、導光体である機能、やわらかさ及び耐摩耗性がよい、前記滑り止め部15で当該靴底11が保護され、且つ滑り止めの効果も達成されるようになり、当該靴底11及び当該滑り止め部15が粘合された後に、各種類の履物、例えばジョギングシューズ、スポーツシューズ、革靴、サンダルなどの底部として使われるようになり、各種類の履物を対応するため、透光性を有する当該靴底11及び当該滑り止め部15は互いに相対する形である。
【００１６】
図1及び図2に示すように、前記光ガイド槽12の収納スペースは各種類の形であってもいいが、楕円形或いは長楕円形であるほうがよい、前記発光装置20の形は当該光ガイド槽12の形と同じようになることで、当該発光装置20が当該光ガイド槽12内に取り付けられる場合に容易に移動されないようになり、図1及び図2に示すように、矩形の当該光ガイド槽12は矩形の当該発光装置20を収納するようになり、矩形の当該光ガイド槽12は四つの透光性を有する導光体である前記入射面13、即ち第一入射面13a、第二入射面13b、第三入射面13c及び第四入射面13dを有し、当該光ガイド槽12の下部分にある底面は当該発光装置20を乗せるための乗せ面であり、当該光ガイド槽12の上部分にあるのは当該発光装置20を入れるための開け口であり、当該光ガイド槽12内にある当該発光装置20が発光する場合に、光線が四面の壁面及び底面にガイドされ、前記靴底11に拡散され、そして当該靴底11で前記射出面14に伝導され、当該射出面14で光線が外向きに射出する。
【００１７】
図3に示すように、本考案の靴底がサンダルとして実施される状態を示す斜視分解図であり、図に示す靴本体21はサンダルであり、当該靴本体21は前記光ガイド槽12を有する前記靴底11と、当該靴底11の下に粘合される透明或いは半透明の前記滑り止め部15と、当該靴底11を覆う透明或いは半透明のカバー10と、当該靴底11及び当該カバー10と結合する透明或いは半透明のストラップ17とを有する。当該靴底11に当該ストラップ17を固定するためのストラップ固定槽19が設けられ、当該滑り止め部15にも当該ストラップ固定槽19と配合するための底部槽16が設けられ、当該カバー10にも当該ストラップ固定槽19と配合するためのカバー用孔10'が設けられる。当該ストラップ17に当該ストラップ固定槽19、当該底部槽16及び当該カバー用孔10'を固定するための固定部18が設けられ、当該固定部18は図面に示すように三つがあり、即ち第一固定部18a、第二固定部18b及び第三固定部18cであり、三つの当該固定部18に相対して配合するのは三つの当該ストラップ固定槽19、第一ストラップ固定槽19a、第二ストラップ固定槽19b及び第三ストラップ固定槽19cと、三つの当該底部槽16、第一底部槽16a、第二底部槽16b及び第三底部槽16cと、三つの当該カバー用孔10、第一カバー用孔10a、第二カバー用孔10b及び第三カバー用孔10cである。
【００１８】
図3及び図4に示すように、前記靴本体21はサンダルであり、前記靴底11が前記滑り止め部15と一体化して粘合され、透明或いは半透明の前記ストラップ17の前記第一固定部18a、前記第二固定部18b及び前記第三固定部18cが前記カバー用孔10'の前記第一カバー用孔10a、前記第二カバー用孔10b、前記第三カバー用孔10c、当該滑り止め部15にある前記第一底部槽16a、前記第二底部槽16b、前記第三底部槽16c及び当該靴底11の前記第一ストラップ固定槽19a、前記第二ストラップ固定槽19b、前記第三ストラップ固定槽19cに装入されることで、前記カバー10が当該靴底11と確実に結合されるようになり、逆にすれば、当該カバー10が当該靴底11から取り外されるようになる。
【００１９】
図5に示すように、図面に示すのは使用者はサンダルである前記靴本体21を履いている状態であり、上述した組み立ての方法により、前記ストラップ17を取り外すことだけで、使用者は容易に前記カバー10を取り替えるようになり、各種類の様式及び各色の当該カバー10を開発することで、使用者は自由に選択でき、また、前記靴底11の前記光ガイド槽12が当該カバー10に覆われると、前記発光装置20を覆って保護する効果が達成されるようになり、当該カバー10でさらにかかとからの重量が分散されることで、当該靴底11の当該光ガイド槽12にある当該発光装置20が壊されないようになり、同時に当該発光装置20が足裏に直接に触ること及び衛生的な問題が防止される。
【００２０】
図1、図3、及び図6に示すように、図面に示す前記靴本体21はサンダルであり、前記発光装置20が前記光ガイド槽12内に入れられて、起動されると、光線が透光性を有する導光体である前記入射面13によって前記靴底11内に入射し、当該靴底11により、当該靴底11の外側にある前記射出面14に伝導され、光線がさらに前記ストラップ固定槽19によって前記ストラップ17の前記固定部18に入射され、透明或いは半透明の当該ストラップ17に伝導されることで、サンダルの外側面にある当該射出面14及び当該ストラップ17が外向きに発光するようになる。また、透光性を有する当該靴底11の透過率は78％〜85％であることで、光線が素早くてガイドされ、当該靴底11の外側面にある当該射出面14が明るくなり、従来の発光靴の各発光源の光度が異なることが防止されるようになる。
【００２１】
図7に示すのは本考案のもう一つの実施状態を示す図であり、図面に示す前記靴本体21は靴であり、前記滑り止め部15を有する前記靴底11が当該靴本体21の下にされて粘合され、前記発光装置20を当該靴底11の前記光ガイド槽12内に入れて、中敷22を当該靴底11の上に設置することで当該発光装置20が保護されるようになり、当該発光装置20を容易に当該光ガイド槽12に設置したり取り出したりするようになり、当該中敷22でかかとからの重量が分散されることで、当該光ガイド槽12にある当該発光装置20が壊されないようになり、同時に当該発光装置20が足裏に直接に触ること及び衛生的な問題が防止される。
【００２２】
図8に示すのは本考案の発光装置を示す斜視図であり、前記発光装置20は四面に数個のLED202を有するプリント基板201と、当該プリント基板201に設けられる制御ユニット203及び開閉器204と、当該プリント基板201の下に設けられる二次電池205及びワイヤレス充電モジュール206と、上述した部品を包み込むための一対の上モールドキャップ207及び下モールドキャップ208とを有する。
【００２３】
前記制御ユニット203によって前記LED202の開閉状態及び作動モード、例えば発光モード、光度、発光間隔、色、明度などを制御することができ、また、当該制御ユニット203はさらにBLUETOOTHデバイスである遠隔操作ユニットを有し、該遠隔操作ユニットによって外部のスマート商品、例えばスマートフォン、スマートウォッチ、スマートブレスレットなどの端末でワイヤレスで遠隔操作でき、即ち、スマート商品及びライト制御用アプリで当該制御ユニット203を遠隔操作することで当該LED202の作動モードを制御することができる。
【００２４】
前記開閉器204が前記制御ユニット203と電気的に連接され、当該開閉器204で前記プリント基板201の開閉状態を制御することができ、当該開閉器204がタッチパネル式の開閉器で実施されることができる。前記ワイヤレス充電モジュール206で前記二次電池205がワイヤレス充電で充電されるようになり、当該二次電池205はフレキシブルリチウムセラミックバッテリーという安全性の高い二次電池で実施される。
【００２５】
前記上モールドキャップ207及び前記下モールドキャップ208は一体成型のプラスチック製のケースであり、当該上モールドキャップ207が当該下モールドキャップ208と組み合われて高周波で溶接されることで、防水機能が実現され、当該上モールドキャップ207及び当該下モールドキャップ208が硬質プラスチックであるので、外部の圧力を受けることができ、衝突防止機能も実現できる。
【００２６】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００２７】
10    カバー                     18   固定部
10'   カバー用孔                 18a  第一固定部
10a   第一カバー用孔             18b  第二固定部
10b   第二カバー用孔             18c  第三固定部
10c   第三カバー用孔             19   ストラップ固定槽
11    靴底                       19a  第一ストラップ固定槽
12    光ガイド槽                 19b  第二ストラップ固定槽
13    入射面                     19c  第三ストラップ固定槽
13a   第一入射面                 20   発光装置
13b   第二入射面                 21   靴本体
13c   第三入射面                 22   中敷
13d   第四入射面                 201  プリント基板
14    射出面                     202  LED
15    滑り止め部                 203  制御ユニット
16    底部槽                     204  開閉器
16a   第一底部槽                 205  二次電池
16b   第二底部槽                 206  ワイヤレス充電モジュール
16c   第三底部槽                 207  上モールドキャップ
17    ストラップ                 208  下モールドキャップ
【図１】
0003212893.tif 000003
【図２】
0003212893.tif 000004
【図３】
0003212893.tif 000005
【図４】
0003212893.tif 000006
【図５】
0003212893.tif 000007
【図６】
0003212893.tif 000008
【図７】
0003212893.tif 000009
【図８】
0003212893.tif 000010